(57)【要約】      （修正有）【課題】スパゲッティ、素麺等の乾燥麺の収納袋ごと立設保持して、必要に応じて乾燥麺の取り出し量を調整しながら取り出す乾燥麺包装袋の保持具を提供する。【解決手段】乾燥麺の包装袋１の上・下端部のいずれか一方をカットして開口した開口部２を下方側に位置させ、該開口部分を上方へ折り曲げて形成した折曲部３を外周面に沿って巻き付ける巻き付け筒体４と、該巻き付け筒体４の外周面に螺挿して、前記包装袋１の折曲部３を挟持固定して保持する底板５を備えた保持筒体６とにより構成されると共に、前記底板５に前記包装袋１内に収納された乾燥麺を取り出すための大・小２個の取り出し孔１４・１５をが穿設し、且つ該各取り出し孔１４・１５には、蓋体１６・１７がそれぞれ開閉自在になるよう設置されている。【選択図】図１
0003185470.tif 000002
【実用新案登録請求の範囲】
【請求項１】
乾燥麺の包装袋の上・下端部のいずれか一方をカットして開口した開口部を下方側に位置させ、該開口部分を上方へ折り曲げて形成した折曲部を、外周面に沿って巻き付ける巻き付け筒体と、該巻き付け筒体の外周面に螺挿して、前記包装袋の折曲部を挟持固定して保持する底板を備えた保持筒体とにより構成された乾燥麺包装袋の保持具であって、前記巻き付け筒体は硬質プラスチックにより前記包装袋の下方部を貫通する貫通部を備え、上方に大径部と下方に前記大径部よりやや小径の小径部とを連設すると共に、該小径部の外周面に雄螺子を周設して形成され、更に、前記底板を備えた保持筒体は、硬質プラスチックにより、前記巻き付け筒体の大径部に挿入可能に形成された周壁を備え、且つ該周壁の内周面に前記巻き付け筒体の雄螺子に螺合する雌螺子を周設すると共に、前記底板に前記包装袋内に収納された乾燥麺を取り出す大・小の取り出し孔を穿設すると共に、該各取り出し孔に蓋体をそれぞれ開閉自在になるよう設置して形成する一方、前記巻き付け筒体の貫通孔に前記包装袋の開口部側より挿通して、前記折曲部を小径部の雄螺子の外周面に摺接するよう巻き付け、且つ前記小径部の雄螺子に前記保持筒体の周壁の雌螺子を螺合することにより、前記下端開口縁部の折曲部は巻き付け筒体の小径部と保持筒体の周壁間に狭着保持されることを特徴とする乾燥麺包装袋の保持具。
【考案の詳細な説明】
【技術分野】
【０００１】
本考案は、スパゲッティ、素麺等の乾燥麺の収納袋ごと立設保持して、必要に応じて麺類の取り出し量を調整しながら取り出すことのできる乾燥麺包装袋の保持具に関するものである。
【背景技術】
【０００２】
従来、スパゲッティ、素麺等の乾燥麺の収納袋ごと立設保持して、必要に応じて麺類の取り出し量を調整しながら取り出すことのできる装置としては、下記の特許文献１に記載された乾麺類収容具が開示されて公知である。
【先行技術文献】
【特許文献】
【０００３】
【特許文献１】実用新案登録第３１７１３３３号公報
【考案の概要】
【考案が解決しようとする課題】
【０００４】
前記特許文献１記載の乾麺類収容具は、収容具本体の包装袋嵌合部に包装袋の開口部を嵌合した後、該包装袋上より、バンド状をした締着具を締着けて固定する構成を有しているため、特に構造の複雑なバンド状の締着具を必要とし、その分製造原価が高くなり、コスト高になるという課題がある。
【０００５】
本考案は前記課題を解決すべくなされたものであって、乾燥麺の包装袋の上・下端部のいずれか一方をカットして開口した開口部を下方側に位置させ、該開口部分を上方へ折り曲げて形成した折曲部を、外周面に沿って巻き付ける巻き付け筒体と、該巻き付け筒体の外周面に螺挿して、前記包装袋の折曲部を挟持固定して保持する底板を備えた保持筒体とにより構成され、また前記底板に設けられた大・小２個の取り出し孔のいずれかを使用して、必要に応じて麺類の取り出し量を調整しながら取り出すことのでき、その構成が簡単で、安価に製造できる乾燥麺包装袋の保持具を提供しようとするものである。
【課題を解決するための手段】
【０００６】
本考案は、乾燥麺の包装袋の上・下端部のいずれか一方をカットして開口した開口部を下方側に位置させ、該開口部分を上方へ折り曲げて形成した折曲部を、外周面に沿って巻き付ける巻き付け筒体と、該巻き付け筒体の外周面に螺挿して、前記包装袋の折曲部を挟持固定して保持する底板を備えた保持筒体とにより構成された乾燥麺包装袋の保持具であって、前記巻き付け筒体は硬質プラスチックにより前記包装袋の下方部を貫通する貫通部を備え、上方に大径部と下方に前記大径部よりやや小径の小径部とを連設すると共に、該小径部の外周面に雄螺子を周設して形成され、更に、前記底板を備えた保持筒体は、硬質プラスチックにより、前記巻き付け筒体の大径部に挿入可能に形成された周壁を備え、且つ該周壁の内周面に前記巻き付け筒体の雄螺子に螺合する雌螺子を周設すると共に、前記底板に前記包装袋内に収納された乾燥麺を取り出す大・小の取り出し孔を穿設すると共に、該各取り出し孔に蓋体をそれぞれ開閉自在になるよう設置して形成する一方、前記巻き付け筒体の貫通孔に前記包装袋の開口部側より挿通して、前記折曲部を小径部の雄螺子の外周面に摺接するよう巻き付け、且つ前記小径部の雄螺子に前記保持筒体の周壁の雌螺子を螺合することにより、前記下端開口縁部の折曲部は巻き付け筒体の小径部と保持筒体の周壁間に狭着保持されるという手段を採用することにより、上記課題を解決した。
【考案の効果】
【０００７】
前記構成より成る本考案によれば、乾燥麺の包装袋の上・下端部のいずれか一方をカットして開口した開口部を下方側に位置させ、該開口部分を上方へ折り曲げて形成した折曲部を、巻き付け筒体の外周面に沿って巻き付け、且つ該巻き付け筒体の外周面に保持筒体を螺挿して、前記包装袋の折曲部を挟持固定して保持することにより、乾燥麺の包装袋は本考案保持具に立設固定され、更に乾燥麺の取り出しも大小いずれかの取り出し孔を開放して簡単に取り出すことができるので、使用方法も簡単で、且つ構成も簡単で安価に製造できるという優れた効果を奏することができる。
【図面の簡単な説明】
【０００８】
【図１】本考案乾燥麺包装袋の保持具の組立分解斜視図である。
【図２】本考案乾燥麺包装袋の保持具に乾燥麺包装袋を保持固定した状態を一部を切欠いて示す全体の正面図である。
【図３】本考案乾燥麺包装袋の保持具の使用状態を示す全体の斜視図である。
【実施例】
【０００９】
本考案乾燥麺包装袋の保持具は、図に示すように、乾燥麺の包装袋１の上・下端部のいずれか一方をカットして開口した開口部２を上方へ折り曲げて形成した折曲部３を、外周面に沿って巻き付ける巻き付け筒体４と、該巻き付け筒体４の外周面に螺挿して、前記包装袋１の折曲部３を挟持固定して保持する底板５を備えた保持筒体６とにより構成されている。
【００１０】
前記巻き付け筒体４は、硬質プラスチックにより前記包装袋１が貫通する貫通部７を備え、上方に大径部８と下方に前記大径部８よりやや小径の小径部９とを連設すると共に、該小径部９の外周面に雄螺子１０を周設して形成されている。
【００１１】
また、前記底板５を備えた保持筒体６は、前記巻き付け筒体４と同様、硬質プラスチックにより、該巻き付け筒体４の大径部８に挿入可能に形成された周壁１１を備え、且つ該周壁１１の内周面に前記巻き付け筒体４の雄螺子１０に螺合する雌螺子１２を周設し、更に前記底板５に前記包装袋１内に収納された乾燥麺１３を取り出すための大・小２個の取り出し孔１４・１５を穿設すると共に、該各取り出し孔１４・１５には、蓋体１６・１７がそれぞれ開閉自在になるよう設置されている。
【００１２】
前記構成より成る本考案乾燥麺包装袋の保持具の作用について説明する。先ず、スパゲッティやうどん麺等の乾燥麺１３を封入した包装袋１の上・下端部のいずれか一方をハサミ等により横方向に開口して形成された開口部２を、上方側にして乾燥麺１３の離脱を防止すると共に、前記開口部２を下方側に位置されて、該開口部分を上方へ折り曲げて折曲部３を形成し、然る後、巻き付け筒体４の貫通孔７に前記包装袋１の開口部２側より貫通して、前記折曲部３を小径部９の雄螺子１０の外周面に摺接するよう巻き付ける。
【００１３】
そして、前記折曲部３を小径部９の雄螺子１０の外周面に摺接するよう巻き付けた後、保持筒体５の周壁１１を前記巻き付け筒体４の小径部９の下方部から挿入して、前記折曲部３を小径部９に摺接したまま、該小径部９の雄螺子１０に前記保持筒体５の周壁１１の雌螺子１２を螺合することにより、前記開口部２の折曲部３は巻き付け筒体４の小径部９と保持筒体５の周壁１１間に狭着保持され、包装袋１は本考案保持具に固定される。なお、前記包装袋１を固定した本考案保持具は、図に示すように、保持筒体５を下方にしてテーブル等に立設して載置される。
【００１４】
そして、乾燥麺１３を調理する場合は、前記テーブル等に立設して載置された本考案保持具を手に取り、保持筒体５の底板４に形成された大取り出し孔１４の蓋体１６を開放して必要量の乾燥麺１３取り出すか、または小取り出し孔１５の蓋体１７を開放して必要量の乾燥麺１３を取り出して調理する。前記大取り出し孔１４から必要量の乾燥麺１３取り出すか、または小取り出し孔１５から必要量の乾燥麺１３を取り出すかは、使用者が任意に選択できる。
【符号の説明】
【００１５】
１  乾燥麺の包装袋
２  開口部
３  折曲部
４  巻き付け筒体
５  底板
６  保持筒体
７  貫通部
８  大径部
９  小径部
１０  雄螺子
１１  周壁
１２  雌螺子
１３  乾燥麺
１４  大取り出し孔
１５  小取り出し孔
１６・１７  蓋体
【図１】
0003185470.tif 000003
【図２】
0003185470.tif 000004
【図３】
0003185470.tif 000005